(57)【特許請求の範囲】
【請求項１】
カード挿入口から取り込んだカード、あるいはカードを収納したカードカセットから繰り出したカードをカード搬送路に沿ってデータ処理部に搬送し、データ処理後、カードを排出するカ−ド処理装置において、
前記カード搬送路は、交差する第１の搬送路と第２の搬送路とを有し、
前記データ処理部を有する第１の搬送路と前記カード挿入口を有する第２の搬送路との連結部に、前記カードを搭載して搬送方向を転換し、そのカードを前記第２の搬送路又は第１の搬送路に繰り出すカード搬送方向転換部と、
前記カード搬送路は、第３の搬送路を前記第２の搬送路と重ねる方向に配置するとともに第１の搬送路に対してシフト自在に設け、
前記シフトにより前記第１の搬送路と前記第３の搬送路とが連結することを特徴とするカ−ド処理装置。
【請求項２】
カード挿入口から取り込んだカード、あるいはカードを収納したカードカセットから繰り出したカードをカード搬送路に沿ってデータ処理部に搬送し、データ処理後、カードを排出するカ−ド処理装置において、
前記カード搬送路は、交差する第１の搬送路と第２の搬送路とを有し、
前記データ処理部を有する第１の搬送路と前記カード挿入口を有する第２の搬送路との連結部に、前記カードを搭載して搬送方向を転換し、そのカードを前記第２の搬送路又は第１の搬送路に繰り出すカード搬送方向転換部を備え、
前記カード搬送路は、さらに、前記カードカセットを有する第３の搬送路を前記第２の搬送路と重ねる方向に配置するとともに前記第１の搬送路に対してシフト自在に設け、
シフトにより前記第１の搬送路と連結する前記第２の搬送路の連結部に前記カード搬送方向転換部を備え、シフトにより前記第１の搬送路と連結する前記第３の搬送路の連結部に前記カードカセットを備えたカ−ド処理装置。
【請求項３】
さらに、カード取り込み部を前記カード搬送方向転換部に隣接して備え、前記データ処理が適性に行われないカードを前記カード搬送方向転換部から前記カード取り込み部に取り込む請求項１または２記載のカ−ド処理装置。
【請求項４】
前記第２の搬送路は、前記カード搬送方向転換部を挟んで前記カード挿入口と対向する位置に設けた回動支軸を中心に回動自在なフレームに前記第３の搬送路とともに、所定の角度を有して設けられる請求項１または２記載のカ−ド処理装置。
【請求項５】
前記カード搬送方向転換部は、下部にカード取り込み部を配置し、前記データ処理部によりデータ処理が適性に行われないカードを前記第１の搬送路から前記カード取り込み部に取り込む請求項４記載のカ−ド処理装置。
【請求項６】
前記カード搬送方向転換部は、新規カードを繰り出す第２のカードカセットを隣接して備えた請求項５記載のカ−ド処理装置。
【発明の詳細な説明】
【０００１】
【発明の属する技術分野】
本発明は金融機関に設置されるカード処理装置に関する。
【０００２】
【従来の技術】
従来、金融機関に設置される自動取引装置には、ローンを利用する顧客、あるいはプリペードカードを利用する顧客に対して新規カードを発行する機能を備えたカード処理装置が搭載されている。
【０００３】
カード処理装置は、カード挿入口から取り込んだカード、あるいはカードカセットから繰り出した新規カードをカード搬送路に沿って搬送し、データ処理を行い、カード挿入口に排出する。
【０００４】
カード搬送路は直線状であり、両端部にカード挿入口、新規カードを収納するカードカセットを備え、カード搬送路に沿ってカード処理部が配置されてある。従って、カード挿入口は顧客操作面の上部に顧客側へ張り出した状態で設けてある。
【０００５】
【発明が解決しようとする課題】
従来のカード処理装置にあっては、カード挿入口は顧客操作面の上部に顧客側へ張り出した状態で設けてあるので、身長の高い人にとって視線が張り出した筐体で遮られ顧客操作面が見難いという問題点があった。
【０００６】
本発明は、顧客操作面を見る顧客の視線が、カード挿入口を有する筐体で遮られる恐れのない奥行きの短いカード処理装置を提供することを目的としている。
【０００７】
【課題を解決するための手段】
上記目的を達成するために本発明のカード処理装置においては、前記カード搬送路は、
交差する第１の搬送路と第２の搬送路とを有し、データ処理部を有する第１の搬送路と前記カード挿入口を有する第２の搬送路との連結部に、カードを搭載して搬送方向を転換し、そのカードを前記第２の搬送路又は第１の搬送路に繰り出すカード搬送方向転換部を備える。
【０００８】
【発明の実施の形態】
本発明の実施の形態について図面を参照しながら説明する。尚、各図面に共通な要素には同一符号を付す。
【０００９】
図１は図２に示したカ−ド処理装置のA−A断面矢視図、図２は一部破断部を含むカ−ド処理装置の正面図、図３はカード回転部の正面図、図４は図３に示したカード回転部のＡ−Ａ断面矢視図、図５は第１の搬送路と第２の搬送路とを連結させたときの説明図、図６は第１の搬送路と第３の搬送路とを連結させたときの説明図である。
【００１０】
カ−ド処理装置１には顧客と対向して筐体２の前面にカード挿入口３が設けてあり、カード挿入口３の下部に顧客側に張り出して顧客操作部、例えばタッチパネル４が設けてある。
【００１１】
筐体２の内部には、図１，２に示すように、第１の搬送路５と第２の搬送路６と第３の搬送路７とからなるカード搬送路８が設けてある。各搬送路はアッパーガイド９とロワーガイド１０とで構成され、フィードローラ１１，１２を有する。
【００１２】
第１の搬送路５には、図２に示すように、カード１３（以後カード挿入口３から取り込んだカードを１３ａと記し、新規カードを１３ｂと記する）に書き込まれたデータをリード／ライトするカード処理部１４が備えられ、カード挿入方向に対して交わる方向、例えば直交する方向に延在している。
【００１３】
第２の搬送路６には、図５に示すように、カード挿入口３から取り込んだカード１３ａの搬送方向を変えるカード搬送方向転換部としてカード１３ａを回転させるカード回転部１５が備えられ、第３の搬送路７には、図６に示すように、新規のカード（例えばローンカード、あるいはプリペードカード）１３ｂを収納するカードカセット１７が備えられてある。
【００１４】
第２の搬送路６と第３の搬送路７とは、重なる方向に所定の角度θを有して回動支軸１６を中心に回動する図示せぬフレームに設けてある。回動支軸１６には図示せぬギヤが設けてあり、後述するモータにより回転駆動される。
【００１５】
第２の搬送路６及び第３の搬送路７は回動支軸１６を中心に回動することにより、図５，６に示すように、カード回転部１５、カードカセット１７が入れ替わって第１の搬送路５と連結する。
【００１６】
カード回転部１５は第２の搬送路６の一部を構成し、図３，４に示すように、円板状のアッパーガイド１８及びロワーガイド１９の円板間にカードガイド２０，２１を設け、一体化してある。ロワーガイド１９の中央部には回転シャフト２２が固着してあり、第２の搬送路６とともに回動支軸１６を中心に回動する上述した図示せぬフレームに固着してある駆動源２３により回転する。
【００１７】
アッパーガイド１８にはフィードローラ２４，２５がカードガイド２０，２１に沿って配置してあり、フィードローラ２４，２５と一体に回転する軸２４ａ，２５ａがＵ状のブラケット２６，２７に回転自在に設けてある。ロワーガイド１９にはプレッシャローラ２８，２９がフィードローラ２４，２５に圧接して配置してあり、プレッシャローラ２８，２９と一体に回転する軸２８ａ，２９ａがＵ状のブラケット３０，３１に回転自在に設けてある。
【００１８】
フィードローラ２４、２５の軸２４ａ、２５ａにはそれぞれ図示せぬプーリが設けてあり、プーリを介してベルト３２が張設してある。
【００１９】
軸２４ａの軸端には駆動部３３が設けてあり、ベルト３２を介してフィードローラ２４、２５及びプレッシャローラ２８，２９を回転駆動する。
【００２０】
カード回転部１５の下部には、図１に示すように、カード処理部１４により不適と判定されたカードを取り込むカード取り込み箱３４が設けてあり、ロワ−ガイド１９の下面に取り込みカード案内板３５が固着してある。
【００２１】
カードカセット１７は第１のカード搬送路５のアッパーカイド９に設けてあり、ロワーガイド１０に設けたフィードローラ３６により新規のカード１３ｂを第３の搬送路７に繰り出す。
【００２２】
図７は図１に示したカード処理装置の制御ブロック図である。制御部４０は中央処理装置４０ａ（以後ＣＰＵ４０ａと記載する）とメモリ４０ｂとＩ／Ｏポート４０ｃとを有する。ＣＰＵ４０ａはＩ／Ｏポート４０ｃを介してタッチパネル４、第１のモータ４１、第２のモータ４２、第３のモータ４３、第４のモータ４４、第５のモータ４５、第６のモータ４６、第１のカードセンサ４７、第２のカードセンサ４８、第３のカードセンサ４９、データ読取ヘッド１４ａ、データ書込みヘッド１４ｂに接続されている。
【００２３】
第１のモータ４１は通電されると、第２の搬送路６と第３の搬送路７とを設けてあるフレームを回動させる。第２のモータ４２は通電されると、第１の搬送路５のフィードローラ１１を回転駆動し、第３のモータ４３は通電されると、第２の搬送路にフィードローラ１１を回転駆動する。
【００２４】
第４のモータ４４は通電されると、第３の搬送路７のフィードローラ１１を回転駆動し、第５のモータ４５はカード回転部１５の駆動源２３に設けられており、通電されるとカード回転部１５を回転駆する。第６のモータ４６はカード回転部１５の駆動源３３に設けられており、通電されるとフィードローラ２４，２５を回転駆する。
【００２５】
第１のカードセンサ４７はカード挿入口３に設けられてカード１３ａの挿入を検出し、第２のカードセンサ４８はカード回転部１５に設けられてカード１３ａがカード回転部１５に達したかを検出し、第３のカードセンサ４９はカード取り込み箱３４に設けられてデータ処理が適正に行われないカードがカード取り込み箱３４に取り込まれたかを検出する。データ読取ヘッド１４ａ、データ書込みヘッド１４ｂは第１の搬送路５のデータ処理部１４に設けてある。
【００２６】
次に動作について図８〜図１１をも加えて説明する。図８は図１に示したカード処理装置の動作を示すフローチャート（１）、図９は図１に示したカード処理装置の動作を示すフローチャート（２）、図１０は図１に示したカード処理装置の動作説明図（１）、図１１は図１に示したカード処理装置の動作説明図（２）である。
【００２７】
ステップＳ１でＣＰＵ４０ａはタッチパネル４を介して新規カード発行か否かをチェックしており、新規カード発行であればステップＳ１３に分岐し、否であればステップＳ２に分岐する。
【００２８】
ステップＳ２でＣＰＵ４０ａは第１のモータ４１に通電して、図１０（Ａ）に示すように、第２の搬送路６をカード挿入口３に位置つけ、図５に示すように、カード回転部１５を第１の搬送路５と連結させる。
【００２９】
ステップＳ３でＣＰＵ４０ａはカード１３ａがカード挿入口３に挿入されたか否かを第１のカードセンサ４７を介してチェックし、カード１３ａがカード挿入口３に挿入された場合にはステップＳ４に分岐する。
【００３０】
ステップＳ４でＣＰＵ４０ａは第３のモータ４３及び第６のモータ４６を駆動して、図５に示すように、カード１３ａを矢印Ｂ方向に搬送する。
【００３１】
ステップＳ５でＣＰＵ４０ａはカード１３ａがカード回転部１５に達したか否かを第２のカードセンサ４８を介して検知しており、カード１３ａがカード回転部１５に達した場合には第３のモータ４３及び第６のモータ４６を停止してステップＳ６に分岐する。
【００３２】
ステップＳ６でＣＰＵ４０ａは第５のモータ４５を駆動して、図５に示すように、カード回転部１５を矢印Ｄ方向に回転させ、カード１３ａの向きを９０度変える。
【００３３】
ステップＳ７でＣＰＵ４０ａは第２のモータ４２及び第６のモータ４６を駆動してカード１３ａを矢印Ｆ方向に搬送する。
【００３４】
ステップＳ８でＣＰＵ４０ａはデータ読取ヘッド１４ａ，データ書込みヘッド１４ｂを介してデータ処理が適正に行われたか否かをチェックし、データ処理が適正に行われた場合にはステップＳ９に分岐し、否の場合にはステップＳ１５に分岐する。
【００３５】
ステップＳ９でＣＰＵ４０ａは第２のモータ４２及び第６のモータ４６逆回転させて、図５に示すように、カード１３ａを矢印Ｇ方向に搬送する。
【００３６】
ステップＳ１０でＣＰＵ４０ａはカード１３ａがカード回転部１５に達したか否かを第２のカードセンサ４８を介して検知しており、カード１３ａがカード回転部１５に達した場合には第２のモータ４２及び第６のモータ４６を停止してステップＳ１１に分岐する。
【００３７】
ステップＳ１１でＣＰＵ４０ａは第５のモータ４５を駆動して、図５に示すように、カード回転部１５を矢印Ｅ方向に回転させ、カード１３ａの向きを９０度変える。
【００３８】
ステップＳ１２でＣＰＵ４０ａは第３のモータ４３及び第６のモータ４６を駆動して、図５に示すように、カード１３ａを矢印Ｃ方向に搬送してカード挿入口３に排出する。
【００３９】
ステップＳ１からステップＳ１３に分岐した場合、ＣＰＵ４０ａは第１のモータ４１に通電して、図６、図１０（Ｂ）、図１１（Ｂ）に示すように、カードカセット１７を第１の搬送路５と連結させる。
【００４０】
ステップＳ１４でＣＰＵ４０ａは第２のモータ４２及び第４のモータ４４を回転させて、図５に示すように、新規のカード１３ｂを矢印Ｆ方向に搬送し、ステップＳ５に分岐する。
【００４１】
ステップＳ８からステップＳ１５に分岐した場合、ＣＰＵ４０ａは第１のモータ４１に通電してフレームを回転させて、図１０（Ｃ）、図１１（Ｃ）に示すように、取り込みカード案内板３５を第１の搬送路５と連結させる。
【００４２】
ステップＳ１６でＣＰＵ４０ａは第２のモータ４２及び第６のモータ４６逆回転させて、図５に示すように、カード１３ａを矢印Ｇ方向に搬送する。
【００４３】
ステップＳ１７でＣＰＵ４０ａはカード１３ａが取り込み箱３４に取り込まれたか否かを第３のカードセンサ４９を介してチェックし、カード１３ａがカード取り込み箱３４に取り込まれた場合には第２のモータ４２及び第６のモータ４６を停止させてステップＳ１３に分岐する。
【００４４】
尚、本実施の形態ではカード回転部１５を備えた第２の搬送路６とカードカセット１７を備えた第３の搬送路７と回動自在に設けたが、第３の搬送路７を削除し、第２の搬送路６を固定し、カード回転部１５に隣接してカードカセット１７、カード取り込み箱３４を設け、カード回転部１５を回転させてカードカセット１７から新規のカードを取り込み、データ処理部１４を有する第１の搬送路５に搬送し、データ処理部１４にて適正に処理できたカードを第１の搬送路５からカード回転部１５に取り込み、カード回転部１５を回転させ第２の搬送路６を介してカード挿入口３に排出する。
【００４５】
あるいは第２の搬送路６を介してカード挿入口３から取り込んだカードをカード回転部１５に取り込み、カード回転部１５を回転させて第１の搬送路５に搬送し、データ処理部１４にて適正に処理できたカードを第１の搬送路５からカード回転部１５に取り込み、カード回転部１５を回転させ第２の搬送路６を介してカード挿入口３に排出する。
【００４６】
あるいはデータ処理部１４にて適正に処理できなかったカードを第１の搬送路５からカード回転部１５に取り込み、カード回転部１５を回転させてカード取り込み箱３４に排出するようにしてもよい。この場合、第２の搬送路６を回動させる必要がなくなり、機構が簡単になる。
【００４７】
また、本実施の形態ではカードカセット１７を一つとしたが、図１２に示すように、カード回転部１５に隣接して第２のカードカセット５０、第３のカードカセット５１を配置し、新規のカードをカード回転部１５を介して第１の搬送路５に繰り出すようにしてもよい。この場合、カードカセット５０、５１にはそれぞれ種々の目的に応じたカード、例えばローンカード、プリペードカード等を収納するようにしてもよい。
【００４８】
この場合、多くの新規のカードを装置に収納できるので、装置へ頻繁に新規カードを収納しなくとも済むし、目的に応じて一台の装置で種々のカードを発行できる。
【００４９】
また、本実施の形態では第２の搬送路６と第３の搬送路７とを回動するように設けたが、第２の搬送路６と第３の搬送路７とを並行に設け、並行に昇降自在にしてカード回転部１５、カードカセット１７を第１の搬送路５と連結するようにしてもよい。
【００５０】
【発明の効果】
本発明は、以上説明したように構成されているので以下に記載される効果を奏する。
【００５１】
データ処理部を有する第１の搬送路とカード挿入口を有する第２の搬送路との連結部にカード搬送方向転換部を備えたことにより、第２の搬送路を短縮することができ、カード挿入口は顧客操作面の上部に顧客側へ張り出さずに設けることができるので、顧客操作面を見る顧客の視線がカード挿入口を有する筐体で遮られる恐れは無くなり、顧客の操作性を向上させる。
【００５２】
また、装置の奥行きが短くなるので、装置を小型化できるとともに装置の配置スペースを小さくすることができる。
【図面の簡単な説明】
【図１】図２に示したカ−ド処理装置のA−A断面矢視図である。
【図２】一部破断部を含むカ−ド処理装置の正面図である。
【図３】カード回転部の正面図である。
【図４】図３に示したカード回転部のＡ−Ａ断面矢視図である。
【図５】第１の搬送路と第２の搬送路とを連結させたときの説明図である。
【図６】第１の搬送路と第３の搬送路とを連結させたときの説明図である。
【図７】図１に示したカード処理装置の制御ブロック図である。
【図８】図１に示したカード処理装置の動作を示すフローチャート（１）である。
【図９】図１に示したカード処理装置の動作を示すフローチャート（２）である。
【図１０】図１に示したカード処理装置の動作説明図（１）である。
【図１１】図１に示したカード処理装置の動作説明図（２）である。
【図１２】変形例によるカード処理装置の平面図である。
【符号の説明】
１  カード処理装置
５  第１の搬送路
６  第２の搬送路
８  カード搬送路
１５  カード回転部
【図１】
0003848174.tif 000002
【図２】
0003848174.tif 000003
【図３】
0003848174.tif 000004
【図４】
0003848174.tif 000005
【図５】
0003848174.tif 000006
【図６】
0003848174.tif 000007
【図７】
0003848174.tif 000008
【図８】
0003848174.tif 000009
【図９】
0003848174.tif 000010
【図１０】
0003848174.tif 000011
【図１１】
0003848174.tif 000012
【図１２】
0003848174.tif 000013